(57)【要約】【課題】固定継ぎ手と板材の間に適正な伸縮代を確保することにより、板材の湿度や気温等による伸縮を好適に吸収し、板材の浮き上がりや抜けを防止することができる板材の固定継ぎ手を提供すること。【解決手段】下地材２に固定される帯状の取付部１１と、取付部１１の幅方向両端から立ち上げられた縦リブ１２と、各縦リブ１２の先端から側方に延設され、板材３の端部を表側から支持する所定幅のフランジ部１３とを備え、取付部１１の幅方向両端から、フランジ部１３との間に板材３が進入可能な空間１５が形成されるように、突部１４を側方にそれぞれ延設する。【選択図】図１
2006097278.tif 000002
【特許請求の範囲】
【請求項１】
下地材に固定される帯状の取付部と、該取付部の幅方向両端から立ち上げられた縦リブと、各縦リブの先端から側方に延設され、板材の端部を表側から支持する所定幅のフランジ部とを備えた板材の固定継ぎ手において、前記取付部の幅方向両端から、前記フランジ部との間に板材が進入可能な空間が形成されるように、突部を側方にそれぞれ延設したことを特徴とする板材の固定継ぎ手。
【請求項２】
請求項１記載の固定継ぎ手を用い、固定継ぎ手の取付部及び突部を挿入する隙間をあけて２枚の板材を下地材に固定し、その後、固定継ぎ手の取付部及び突部をこの板材の隙間に挿入し、固定継ぎ手を下地材に固定することを特徴とする固定継ぎ手を用いた板材の固定方法。
【請求項３】
下地材に固定される帯状の取付部と、該取付部の幅方向一端から立ち上げられた縦リブと、縦リブの先端から側方に延設され、板材の端部を表側から支持する所定幅のフランジ部とを備えた板材の固定継ぎ手において、前記取付部の幅方向一端から、前記フランジ部との間に板材が進入可能な空間が形成されるように、突部を側方に延設したことを特徴とする板材の固定継ぎ手。
【請求項４】
前記縦リブの先端に、前記板材に対して直角に配設する他の板材を保持する保持部を延設したことを特徴とする請求項３記載の板材の固定継ぎ手。
【請求項５】
請求項３又は４記載の固定継ぎ手を用い、固定継ぎ手の取付部及び突部を挿入する隙間をあけて板材を下地材に固定し、その後、固定継ぎ手の取付部及び突部をこの板材の隙間に挿入し、固定継ぎ手を下地材に固定することを特徴とする固定継ぎ手を用いた板材の固定方法。
【発明の詳細な説明】
【技術分野】
【０００１】
本発明は、板材の固定継ぎ手及び該固定継ぎ手を用いた板材の固定方法に関し、特に、板材の湿度や気温等による伸縮を好適に吸収することができる板材の固定継ぎ手及びこの固定継ぎ手を用いた板材の固定方法に関するものである。
【背景技術】
【０００２】
従来、基材に熱硬化性樹脂を添加した無機質材料を用い、表面に熱硬化性樹脂を含浸させた化粧紙を積層、一体化してなる化粧板等の板材は、両面粘着テープや接着剤を用いて下地材に固定するとともに、間隔をあけて次の板材を同様にして下地材に固定し、これらの両板材の端部を固定継ぎ手により支持し、この固定継ぎ手を下地材に固定するようにしている。
【０００３】
従来の固定継ぎ手は、例えば、下地材に固定される帯状の取付部と、該取付部の幅方向両端から板材の略厚みをもって立ち上げられた縦リブと、各縦リブの先端から側方に延設され、前記板材の端部を表側から支持する所定幅のフランジ部とを備えたものからなり、フランジ部と下地材の間に板材の端部が配設されている。
【０００４】
ところで、化粧板等の板材は湿度や気温等により収縮するため、フランジ部の下に伸縮代があくように各板材の端部と固定継ぎ手の各縦リブとの間に隙間を設けておく必要があるが、上記従来の固定継ぎ手は、どれだけの隙間を設けたかは、固定継ぎ手の移動可能寸法を計るしか方法がない。
その結果、各板材の間隔を適切に設けたとしても、固定継ぎ手の取付位置により、板材の端部と固定継ぎ手の縦リブとの隙間寸法が変動し、一方の板材の端部が縦リブに接した状態や僅かな隙間寸法しかない状態で取り付けられてしまうおそれがあり、そうすると、板材が伸びたときには板材が下地材から浮き上がるという問題が発生する。
また、逆に隙間寸法が大きくなり過ぎると、縮んだときに板材が固定継ぎ手から抜けてしまうという問題が発生する。
【発明の開示】
【発明が解決しようとする課題】
【０００５】
本発明は、上記従来の板材の固定継ぎ手が有する問題点に鑑み、固定継ぎ手と板材の間に適正な伸縮代を確保することにより、板材の湿度や気温等による伸縮を好適に吸収し、板材の浮き上がりや抜けを防止することができる板材の固定継ぎ手及びこの固定継ぎ手を用いた板材の固定方法を提供することを目的とする。
【課題を解決するための手段】
【０００６】
上記目的を達成するため、本第１発明の板材の固定継ぎ手は、下地材に固定される帯状の取付部と、該取付部の幅方向両端から立ち上げられた縦リブと、各縦リブの先端から側方に延設され、板材の端部を表側から支持する所定幅のフランジ部とを備えた板材の固定継ぎ手において、前記取付部の幅方向両端から、前記フランジ部との間に板材が進入可能な空間が形成されるように、突部を側方にそれぞれ延設したことを特徴とする。
【０００７】
そして、この固定継ぎ手を用いた板材の固定方法は、上記固定継ぎ手を用い、固定継ぎ手の取付部及び突部を挿入する隙間をあけて２枚の板材を下地材に固定し、その後、固定継ぎ手の取付部及び突部をこの板材の隙間に挿入し、固定継ぎ手を下地材に固定することを特徴とする。
【０００８】
また、同じ目的を達成するため、本第２発明の板材の固定継ぎ手は、下地材に固定される帯状の取付部と、該取付部の幅方向一端から立ち上げられた縦リブと、縦リブの先端から側方に延設され、板材の端部を表側から支持する所定幅のフランジ部とを備えた板材の固定継ぎ手において、前記取付部の幅方向一端から、前記フランジ部との間に板材が進入可能な空間が形成されるように、突部を側方に延設したことを特徴とする。
【０００９】
この場合において、前記板材に対して直角に配設する他の板材を保持する保持部を延設することができる。
【００１０】
そして、この固定継ぎ手を用いた板材の固定方法は、上記固定継ぎ手を用い、固定継ぎ手の取付部及び突部を挿入する隙間をあけて板材を下地材に固定し、その後、固定継ぎ手の取付部及び突部をこの板材の隙間に挿入し、固定継ぎ手を下地材に固定することを特徴とする。
【発明の効果】
【００１１】
本第１発明の板材の固定継ぎ手及びこの固定継ぎ手を用いた板材の固定方法によれば、下地材に固定される帯状の取付部と、該取付部の幅方向両端から立ち上げられた縦リブと、各縦リブの先端から側方に延設され、板材の端部を表側から支持する所定幅のフランジ部とを備え、前記取付部の幅方向両端から、前記フランジ部との間に板材が進入可能な空間が形成されるように、突部を側方にそれぞれ延設した板材の固定継ぎ手を用い、固定継ぎ手の取付部及び突部を挿入する隙間をあけて２枚の板材を下地材に固定し、その後、固定継ぎ手の取付部及び突部をこの板材の隙間に挿入し、固定継ぎ手を下地材に固定することから、突部により固定継ぎ手を、隙間をあけて下地材に固定した２枚の板材の間に偏ることなく位置決めすることができるとともに、板材との間に適正な伸縮代を確保することができ、これにより、板材の湿度や気温等による伸縮を好適に吸収し、板材の浮き上がりや固定継ぎ手からの抜けを防止することができる。
【００１２】
また、本第２発明の板材の固定継ぎ手及びこの固定継ぎ手を用いた板材の固定方法によれば、下地材に固定される帯状の取付部と、該取付部の幅方向一端から立ち上げられた縦リブと、縦リブの先端から側方に延設され、板材の端部を表側から支持する所定幅のフランジ部とを備え、前記取付部の幅方向一端から、前記フランジ部との間に板材が進入可能な空間が形成されるように、突部を側方に延設し、さらに、必要に応じて、前記板材に対して直角に配設する他の板材を保持する保持部を延設した板材の固定継ぎ手を用い、固定継ぎ手の取付部及び突部を挿入する隙間をあけて板材を下地材に固定し、その後、固定継ぎ手の取付部及び突部をこの板材の隙間に挿入し、固定継ぎ手を下地材に固定することから、突部により固定継ぎ手を、隙間をあけて下地材に固定した板材の隙間に偏ることなく位置決めすることができるとともに、板材との間に適正な伸縮代を確保することができ、これにより、板材の湿度や気温等による伸縮を好適に吸収し、板材の浮き上がりや固定継ぎ手からの抜けを防止することができる。
【発明を実施するための最良の形態】
【００１３】
以下、本発明の板材の固定継ぎ手及びこの固定継ぎ手を用いた板材の固定方法の実施の形態を、図面に基づいて説明する。
【実施例１】
【００１４】
図１〜図２に、本発明の板材の固定継ぎ手及びこの固定継ぎ手を用いた板材の固定方法の第１実施例を示す。
この板材の固定継ぎ手１は、所謂ハット型ジョイナーと呼ばれるタイプの固定継ぎ手で、天井面の下地材２に固定される帯状の取付部１１と、取付部１１の幅方向両端から板材３の略厚みをもって立ち上げられた縦リブ１２と、各縦リブ１２の先端から側方に延設され、板材３の端部を表側から支持する所定幅のフランジ部１３とを備え、取付部１１の幅方向両端から、フランジ部１３との間に板材３が進入可能な空間１５が形成されるように、突部１４を側方にそれぞれ延設するようにしている。
【００１５】
この場合において、固定継ぎ手１は、長手方向にわたり同一断面を有するアルミニウム等の金属や合成樹脂の長尺の引き抜き成形材や押し出し成形材からなり、取付部１１の側方に延設する突部１４の幅ｗは、板材３の湿度や気温等による伸縮を吸収できるような幅に設定する。
より具体的には、突部１４は、特に限定されるものではないが、その幅ｗをフランジ部１３の１／３〜１／５の１〜３ｍｍ程度、厚みｔを０．５〜１ｍｍ程度とし、長手方向に連続する突条として形成するようにする。
【００１６】
なお、突部１４の厚みｔは、板材３を下地材２に貼着するために使用する両面粘着テープ４の厚みより若干薄く形成するようにする。
これにより、両面粘着テープ４と接着剤５を介して下地材２に貼着される板材３は、下地材２から１ｍｍ程度浮いた状態となっており、突部１４が厚みを有していても、突部１４とフランジ部１３との間に形成された空間１５に進入することができる。
【００１７】
そして、この固定継ぎ手１を用い、固定継ぎ手１の取付部１１及び突部１４が挿入できる隙間をあけて２枚の板材３を下地材２に貼着し、その後、固定継ぎ手１の取付部１１及び突部１４をこの板材３の隙間に挿入し、固定継ぎ手１の取付部１１を下地材２に固定する。
具体的には、図１（ｂ）に示すように、両面粘着テープ４と接着剤５によって一方の板材３を先に下地材２に貼着し、次に、固定継ぎ手１の取付部１１及び突部１４の幅と略同じか、例えば、１〜３ｍｍ程度の範囲で大きい隙間をあけて、もう一方の板材３を下地材２に貼着する。
そして、図１（ｃ）に示すように、この板材３の隙間の中央に固定継ぎ手１の取付部１１及び突部１４を挿入し、図２に示すように、取付部１１をビスＢ等により下地材２に固定する。
なお、取付部１１の表側には、化粧用コーキング材Ｓを配設することができる。
【００１８】
ところで、固定継ぎ手１の取付部１１及び突部１４を板材３の隙間に挿入する際には、突部１４が一時的にスペーサの役割を果たすことから、固定継ぎ手１は片方の板材３に接近し過ぎることなく位置決めされた状態で挿入され、空間１５ａが、図示するように、左右に略均等に形成される。
また、隙間が狭い場合は、固定継ぎ手１が挿入できないことから、施工不良を未然に防止することができる。
固定継ぎ手１を固定した後は、板材３の端部と縦リブ１２の間に形成される空間１５ａが、板材３の伸びを吸収する空間として働き、この空間１５ａ（１５）に板材３の端部が進入することができるので、板材３の湿度や気温等による伸縮を好適に吸収し、板材３の浮き上がりを防止することができる。
また、固定継ぎ手１が板材３間のほぼ中央に挿入されるので、板材３が縮んだときにも固定継ぎ手１からの抜けを防止することができる。
なお、図示の例は、天井面に板材３を固定する場合を示しているが、例えば、壁面に板材３を固定する場合に適用することもできる。
【００１９】
かくして、本第１実施例の板材の固定継ぎ手及びこの固定継ぎ手を用いた板材の固定方法は、下地材２に固定される帯状の取付部１１と、取付部１１の幅方向両端から立ち上げられた縦リブ１２と、各縦リブ１２の先端から側方に延設され、板材３の端部を表側から支持する所定幅のフランジ部１３とを備え、取付部１１の幅方向両端から、フランジ部１３との間に板材３が進入可能な空間１５が形成されるように、突部１４を側方にそれぞれ延設した板材の固定継ぎ手１を用い、固定継ぎ手１の取付部１１及び突部１４が挿入できる隙間をあけて２枚の板材３を下地材２に貼着・固定し、その後、固定継ぎ手１の取付部１１及び突部１４をこの板材２の隙間に挿入し、固定継ぎ手１を下地材２に固定することから、突部１４により固定継ぎ手１を、隙間をあけて下地材２に貼着・固定した２枚の板材３の間に偏ることなく位置決めすることができるとともに、板材３との間に適正な伸縮代を確保することができ、これにより、板材３の湿度や気温等による伸縮を好適に吸収し、板材３の浮き上がりや固定継ぎ手からの抜けを防止することができる。
【実施例２】
【００２０】
次に、図３に、本発明の板材の固定継ぎ手及びこの固定継ぎ手を用いた板材の固定方法の第２実施例を示す。
この板材の固定継ぎ手６は、廻り縁用のもので、天井面の下地材２に固定される帯状の取付部６１と、取付部６１の幅方向一端から板材３の略厚みをもって立ち上げられた縦リブ６２と、縦リブ６２の先端から側方に延設され、板材３の端部を表側から支持する所定幅のフランジ部６３と、縦リブ６２の先端に設けられ、板材３と直交する他の板材３を支持するコ字形の支持部６６とを備え、取付部６１の幅方向一端から、フランジ部６３との間に板材３が進入可能な空間６５が形成されるように、突部６４を側方に延設するようにしている。
なお、保持部６６は、天井面に配設する板材３に対して壁面に配設する他の板材３を保持するもので、壁面に他の板材３を配設しない場合には、保持部６６を省略することもできる。
【００２１】
この場合において、固定継ぎ手６は、長手方向にわたり同一断面を有するアルミニウム等の金属や合成樹脂の長尺の引き抜き成形材や押し出し成形材からなり、取付部６１の側方に延設する突部６４の幅ｗは、板材３の湿度や気温等による伸縮を吸収できるような幅に設定する。
より具体的には、突部６４は、特に限定されるものではないが、その幅ｗをフランジ部１３の１／３〜１／５の１〜３ｍｍ程度、厚みｔを０．５〜１ｍｍ程度とし、長手方向に連続する突条として形成するようにする。
【００２２】
なお、突部６４の厚みｔは、板材３を下地材２に貼着するために使用する両面粘着テープ４の厚みより若干薄く形成するようにする。
これにより、両面粘着テープ４と接着剤５を介して下地材２に貼着される板材３は、下地材２から１ｍｍ程度浮いた状態となっており、突部６４が厚みを有していても、突部６４とフランジ部６３との間に形成された空間６５に進入することができる。
【００２３】
そして、この固定継ぎ手６を用い、壁面７との間に固定継ぎ手６の取付部６１及び突部６４を挿入する隙間があくように天井側の板材３を下地材２に貼着し、その後、固定継ぎ手６の取付部６１及び突部６４を壁面７と板材３の隙間に挿入し、固定継ぎ手６を下地材２に固定する。
具体的には、図３（ｂ）に示すように、壁面７との間に固定継ぎ手６の取付部６１及び突部６４の幅と略同じか、例えば、１〜３ｍｍ程度の範囲で大きい隙間をあけて、天井側の板材３を下地材２に貼着し、次に、板材３と壁面７の隙間に固定継ぎ手６を挿入し、支持部６６を壁面７にビス止めすることにより固定継ぎ手６を下地材２に固定する。
そして、図２に示すように、コ字状の支持部６６に壁面側の板材３を挿入し、板材３を壁面の下地材２に固定する。
この場合、板材３は、天井側も壁面側も、両面粘着テープ４と接着剤５を介して下地材２に貼着される。
【００２４】
この場合、固定継ぎ手６を壁面７と板材３の隙間に挿入する際には、突部６４が一時的にスペーサの役割を果たすことから、固定継ぎ手６は天井側の板材３に接近し過ぎることなく挿入される。
また、隙間が狭い場合は、固定継ぎ手６が挿入できないことから、施工不良として判断することができる。
固定継ぎ手６を固定した後は、板材端部と縦リブ６２の間に形成される空間６５ａが、板材３の伸びを吸収する空間として働き、これにより、板材３の湿度や気温等による伸縮を好適に吸収し、板材３の浮き上がりを防止することができる。
また、固定継ぎ手６が突部６４により適正に位置決めして挿入されるので、板材３が縮んだときにも固定継ぎ手６からの抜けを防止することができる。
【００２５】
かくして、本第２実施例の板材の固定継ぎ手及びこの固定継ぎ手を用いた板材の固定方法は、下地材２に固定される帯状の取付部６１と、取付部６１の幅方向一端から立ち上げられた縦リブ６２と、縦リブ６２の先端から側方に延設され、板材３の端部を表側から支持する所定幅のフランジ部６３とを備え、取付部６１の幅方向一端から、フランジ部６３との間に板材３が進入可能な空間６５が形成されるように、突部を側方に延設し、さらに、板材３に対して直角に配設する他の板材３を保持する保持部６６を延設した板材の固定継ぎ手６を用い、固定継ぎ手６の取付部６１及び突部６４を挿入する隙間をあけて板材３を下地材２に貼着・固定し、その後、固定継ぎ手６の取付部６１及び突部６４をこの板材３の隙間に挿入し、固定継ぎ手６を下地材２に固定することから、突部６４により固定継ぎ手６を、隙間をあけて下地材２に貼着・固定した板材３の隙間に偏ることなく位置決めすることができるとともに、板材３との間に適正な伸縮代を確保することができ、これにより、板材３の湿度や気温等による伸縮を好適に吸収し、板材３の浮き上がりや固定継ぎ手６からの抜けを防止することができる。
【００２６】
以上、本発明の板材の固定継ぎ手及びこの固定継ぎ手を用いた板材の固定方法について、複数の実施例に基づいて説明したが、本発明は上記実施例に記載した構成に限定されるものではなく、その趣旨を逸脱しない範囲において適宜その構成を変更することができる。
【産業上の利用可能性】
【００２７】
本発明の板材の固定継ぎ手及びこの固定継ぎ手を用いた板材の固定方法は、固定継ぎ手と板材の間に適正な伸縮代を確保することにより、板材の湿度や気温等による伸縮を好適に吸収し、板材の浮き上がりや抜けを防止するという特性を有していることから、例えば、化粧板等の板材を天井面や壁面へ固定する場合に好適に用いることができる。
【図面の簡単な説明】
【００２８】
【図１】本発明の板材の固定継ぎ手の第１実施例を示し、（ａ）はその断面図、（ｂ）〜（ｃ）はこの固定継ぎ手を用いた板材の固定方法の工程図である。
【図２】第１実施例及び第２実施例の固定継ぎ手を用いた施工例を示す断面図である。
【図３】本発明の板材の固定継ぎ手の第２実施例を示し、（ａ）はその断面図、（ｂ）はこの固定継ぎ手を用いた板材の固定方法の工程図である。
【符号の説明】
【００２９】
１    固定継ぎ手
１１  取付部
１２  縦リブ
１３  フランジ部
１４  突部
１５  空間
１５ａ  空間
２    下地材
３    板材
４    両面粘着テープ
５    接着剤
６    固定継ぎ手
６１  取付部
６２  縦リブ
６３  フランジ部
６４  突部
６５  空間
６６  支持部
７    壁面
【図１】
2006097278.tif 000003
【図２】
2006097278.tif 000004
【図３】
2006097278.tif 000005